(57)【要約】  本発明は、ワイパブレードユニット、特にヒンジなしのワイパブレード（１０ａ；１０ｂ）用のワイパブレードユニットであって、液体案内体（１２ａ；１２ｂ）が設けられていて、該液体案内体（１２ａ；１２ｂ）は少なくとも１つの液体案内ブリッジ（１４ａ；１４ｂ）を有しており、該液体案内ブリッジ（１４ａ；１４ｂ）は、運転状態で見て、ワイパブレード主流側（１６ａ；１６ｂ）とは反対の側（１８ａ；１８ｂ）に配置されている。
2013519582.tif 000002
【特許請求の範囲】
【請求項１】
ワイパブレードユニット、特にヒンジなしのワイパブレード（１０ａ；１０ｂ）用のワイパブレードユニットであって、液体案内体（１２ａ；１２ｂ）が設けられていて、該液体案内体（１２ａ；１２ｂ）は少なくとも１つの液体案内ブリッジ（１４ａ；１４ｂ）を有しており、該液体案内ブリッジ（１４ａ；１４ｂ）は、運転状態で見て、ワイパブレード主流側（１６ａ；１６ｂ）とは反対の側（１８ａ；１８ｂ）に配置されていることを特徴とするワイパブレードユニット。
【請求項２】
液体案内ブリッジ（１４ａ；１４ｂ）はワイパブレード長手方向（２０ａ，２２ａ；２０ｂ，２２ｂ）において、液体案内体（１２ａ；１２ｂ）の少なくとも１つの端部（２４ａ，２６ａ；２４ｂ，２６ｂ）を形成している、請求項１記載のワイパブレードユニット。
【請求項３】
液体案内体（１２ａ；１２ｂ）は、ワイパブレード主流側（１６ａ；１６ｂ）に配置された少なくとも１つのスポイラエレメント（２８ａ，３０ａ；３２ｂ，３４ｂ）を有している、請求項１又は２記載のワイパブレードユニット。
【請求項４】
液体案内体（１２ａ；１２ｂ）は、ワイパブレードアダプタ（３８ａ；３８ｂ）用の少なくとも１つの受容領域（３６ａ；３６ｂ）を有している、請求項１から３までのいずれか１項記載のワイパブレードユニット。
【請求項５】
少なくとも１つの固定ユニット（４０ａ；４０ｂ）が、ワイパブレードアダプタにおける固定のため及び／又はワイパブレードばねエレメント（４２ａ；４２ｂ）における固定のために設けられている、請求項１から４までのいずれか１項記載のワイパブレードユニット。
【請求項６】
固定ユニット（４０ｂ）は、ワイパブレード長手方向（２０ｂ）で見て、少なくとも部分的にワイパブレードアダプタ（３８ｂ）のための受容領域（３６ｂ）の前に配置された少なくとも１つの固定エレメント（４４ｂ，４５ｂ）と、少なくとも部分的にワイパブレードアダプタ（３８ｂ）のための受容領域（３６ｂ）の後ろに配置された少なくとも１つの固定エレメント（４６ｂ，４７ｂ）とを有している、請求項４又は５記載のワイパブレードユニット。
【請求項７】
固定ユニット（４０ａ；４０ｂ）は少なくとも１つのクランプ及び／又は係止エレメントを有している、請求項５又は６記載のワイパブレードユニット。
【請求項８】
液体案内体（１２ａ；１２ｂ）は、スポイラエレメント（５２ａ；５２ｂ）のための受容領域（４８ａ；４８ｂ，５０ｂ）を備えた少なくとも１つの条片を有している、請求項１から７までのいずれか１項記載のワイパブレードユニット。
【請求項９】
請求項１から８までのいずれか１項記載のワイパブレードユニットとワイパブレードアダプタ（３８ａ；３８ｂ）とを備えたワイパブレード。
【請求項１０】
液体案内ブリッジ（１４ａ；１４ｂ）は、ワイパブレード長手延在方向で、少なくとも１つのワイパブレード長手方向（２０ａ，２２ａ；２０ｂ，２２ｂ）においてワイパブレードアダプタ（３８ａ；３８ｂ）を越えて延びている、請求項９記載のワイパブレード。
【発明の詳細な説明】
【技術分野】
【０００１】
本発明は、ワイパブレードユニット、特にヒンジなしのワイパブレード用のワイパブレードユニットに関する。
【０００２】
ＵＳ００Ｄ４１８１０３に基づいて、ワイパブレードアダプタを有するヒンジなしのワイパブレードが公知である。ワイパブレードアダプタには片側にスポイラエレメントが配置されており、このスポイラエレメントは、運転状態で見て、ウインドシールドガラスに対して斜めに延びる空気流面を形成し、これによって運転状態において走行風流を、ワイパブレードを介して有利に導き、ウインドシールドガラスに対するワイパブレードの圧着圧を高める。
【０００３】
発明の開示
本発明は、ワイパブレードユニット、特にヒンジなしのワイパブレード用のワイパブレードユニットであって、液体案内体が設けられていて、該液体案内体は少なくとも１つの液体案内ブリッジを有しており、該液体案内ブリッジは、運転状態で見て、ワイパブレード主流側とは反対の側に配置されていることを特徴とする。
【０００４】
「液体案内ブリッジ」というのは、ここでは特に、液体案内体の一部であって、特に、有利にはワイパブレードのワイパブレードアダプタの１構成部材領域のような、液体案内体とは別個の構成部材の１構成部材領域に沿って、液体を案内するために設けられたもの、つまりそのために特に特別に設計され、かつ／又は構成されたものを意味する。液体案内ブリッジはそのために特に、運転状態において見て、ワイパブレード長手方向において、１ｃｍよりも大きな長さ、有利には２ｃｍよりも大きな長さを有していて、ワイパブレード長手方向に対して垂直な方向では有利には、２ｍｍよりも大きな長さ、特に液体案内ブリッジ自体の壁厚よりも大きな長さを有している。「ワイパブレード長手方向」というのは、特に、ウインドシールドガラスとの直接的な接触のために設けられている、ワイパブレードのワイパストリップが、その最大長さを有している方向を意味している。「ワイパブレード主流側」というのは、ワイパブレードの運転位置の大部分において走行風流に向けられている、ワイパブレードの長辺側のことを意味している。有利には、ワイパブレード主流側にはまた少なくとも１つのスポイラエレメントが、特にスポイラエレメントの流れ面が、つまり走行風流をワイパブレードにわたって導いて、ウインドシールドガラスへのワイパストリップの圧着力を高めるために設けられた、スポイラエレメントの流れ面が配置されている。相応な構成によって、有利な液体案内を得ることができる。液体バリアにおいて、特に洗浄液のような液体は運転中に堰き止められ、不都合にワイパブレードにわたって流れるおそれがあるが、特に、複数の液体バリアを少なくとも部分的にブリッジングしておくと有利であり、このように構成すると、ウインドシールドガラスにおける不都合な飛沫を少なくとも減じることができる。
【０００５】
本発明の有利な態様では、液体案内ブリッジはワイパブレード長手方向において、液体案内体の少なくとも１つの端部を、有利には液体案内体の２つの端部を形成しており、このように構成されていると、液体案内体自体によってバリアをブリッジングすることができ、有利である。この場合「ワイパブレード長手方向における端部」というのは、特に、ワイパブレード長手方向において液体案内体の最も外側の部分を意味している。
【０００６】
本発明の別の態様では、液体案内体は、ワイパブレード主流側に配置された少なくとも１つのスポイラエレメントを有している。この場合「スポイラエレメント」というのは特に、走行風流の流れる際に該走行風流を流れ案内面を用いてワイパブレードにわたって導くため、及びこれによって特にウインドシールドガラスへのワイパブレードの圧着力を高めるために、特に設けられているエレメントのことである。スポイラエレメントはこの場合有利には、ワイパブレード長手方向に対して垂直に、流れ方向で見てワイパブレード主流側に上昇する流れ案内面を有していて、特に有利には少なくとも部分的に凹面状に形成されていて、有利には湾曲された流れ案内面を備えて形成されている。相応な構成によって、有利な流れと、ウインドシールドガラスへのワイパブレードの有利な圧着力とを得ることができる。
【０００７】
ワイパブレードユニット及びワイパブレードアダプタは有利には少なくとも大部分が、特に質量配分に関して、別個の構成部材によって形成されており、これによって有利な後装着の可能性を得ることができ、かつ／又は特に有利に、個々の構成部材をそれぞれ固有の機能に合わせて設計することができる。「ワイパブレードアダプタ」というのは、この場合特に、運転時においてワイパブレードをワイパアームと連結するアダプタを意味している。ワイパブレードアダプタはそのために有利には、ワイパアームのワイパロッドのための受容領域を有している。液体案内ブリッジがワイパブレード長手方向において少なくとも１つのワイパブレード長手方向において、有利には両方のワイパブレード長手方向においてワイパブレードアダプタを越えて延びていると、ワイパブレードアダプタの有利なブリッジングを達成することができる。液体案内ブリッジはこの場合有利には、ワイパストリップのワイパリップに向けられた側において、ワイパブレード長手方向にワイパブレードアダプタの下で延びている。
【０００８】
さらに本発明の別の態様では、液体案内体は、ワイパブレードアダプタ用の少なくとも１つの受容領域を有している。「ワイパブレードアダプタ用の受容領域」というのは特に、ワイパブレードアダプタを装着するのに、かつ／又は特に有利には導入するのに適した形態を有する領域のことを意味している。受容領域はこの場合特に有利には少なくとも部分的に、切欠きによって形成され、この切欠きの内部には、運転位置で見て、ワイパブレードアダプタが少なくとも部分的に配置されている。相応な構成によって、特にコンパクトで流れに好都合な構造形式を得ることができる。
【０００９】
ワイパブレードユニットが少なくとも１つの固定ユニットを有していて、該固定ユニットが、ワイパブレードアダプタにおける固定のため及び／又はワイパブレードばねエレメントにおける固定のために設けられていると、フレキシブルな使用と簡単な取付けを達成することができる。この場合「ワイパブレードばねエレメント」というのは特に、ワイパブレードのワイパストリップに直に連結された条片つまりストリップであり、このストリップは特に、ワイパブレードの全長にわたって、湾曲したウインドシールドガラスへのワイパブレードの適合を保証し、かつ同時にウインドシールドガラスへのワイパストリップの可能な限り均一な圧着圧を保証するようになっている。ワイパブレードばねエレメントは有利にはばね鋼薄板から形成されている。
【００１０】
本発明の別の態様では、固定ユニットは、ワイパブレード長手方向で見て、少なくとも部分的にワイパブレードアダプタのための受容領域の前に配置された少なくとも１つの固定エレメントと、少なくとも部分的にワイパブレードアダプタのための受容領域の後ろに配置された少なくとも１つの固定エレメントとを有している。このように構成されていると、特に安定した構造を得ることができる。
【００１１】
固定ユニットは、当業者にとって有利だと思われる種々様々な固定エレメント、例えばリベット、ねじ等を有することができる。しかしながら特に有利には、固定ユニットは少なくとも１つのクランプ及び／又は係止エレメントを有しており、これによって特に簡単かつ迅速な取付けを達成することができる。この場合「クランプエレメント」というのは、特に、クランプ力によって固定を生ぜしめるエレメントであって、この場合特にクランプエレメントは、取付け時にクランプ力を生ぜしめるために弾性変形される。さらに「係止エレメント」というのは、特に、係止結合を行うためのエレメントであって、係止結合部を形成するために少なくとも１つの第１のエレメントが応力に抗して移動させられ、次いで応力によって移動させられて、係止結合部の第２のエレメントの後ろに係合結合式（formschluessig）に係合することができるエレメントのことである。固定ユニットは、応力に抗して、有利にはそれ自体の内部応力に抗して、係止結合部を形成するために移動させられるエレメントを有していると、有利である。少なくとも１つの固定エレメントが少なくとも部分的に液体案内体と一体に形成されていると、特に有利である。
【００１２】
本発明のさらに別の態様では、液体案内体は、スポイラエレメントのための受容領域を備えた少なくとも１つの条片を有している。この場合「条片」というのは特に、９０°よりも大きく曲げられた屈曲部を有するエレメントであって、凹面状の領域に受容領域が配置されているエレメントのことを意味している。相応な構成によって、特に有利な、特に運転状態における走行風方向で見て、ワイパブレードのスポイラエレメントへの遊びのない結合部を得ることができる。
【００１３】
次に図面を参照しながら本発明の有利な実施形態を説明する。
【図面の簡単な説明】
【００１４】
【図１】ワイパブレードの、ワイパブレード主流側とは反対側の長辺を、斜め上から見て、ワイパブレードを示す図である。
【図２】図１の一部を拡大して示す図である。
【図３】ワイパブレードのワイパブレード主流側を斜め上から見て、ワイパブレードを示す図である。
【図４】図１に示したワイパブレードのワイパブレードユニットを単独で、斜め上から見て示す図である。
【図５】ワイパブレードユニットを上から見た図である。
【図６】ワイパブレードユニットを示す第１の側面図である。
【図７】ワイパブレードユニットを示す正面図である。
【図８】ワイパブレードユニットを示す第２の側面図である。
【図９】ワイパブレードユニットを下から見た図である。
【図１０】択一的なワイパブレードの、ワイパブレード主流側とは反対の長辺側を、斜め上から見た図である。
【図１１】択一的なワイパブレードの、ワイパブレード主流側を、斜め上から見た図である。
【図１２】図１０に示したワイパブレードのワイパブレードユニットを単独で示す図であって、該ワイパブレードユニットのワイパブレード主流側とは反対側の長辺を斜め上から見て示す図である。
【図１３】図１０に示したワイパブレードのワイパブレードユニットを単独で示す図であって、該ワイパブレードユニットのワイパブレード主流側を斜め上から見て示す図である。
【図１４】図１２に示したワイパブレードユニットを上から見た図である。
【図１５】図１２に示したワイパブレードユニットを示す第１の側面図である。
【図１６】図１２に示したワイパブレードユニットを示す正面図である。
【図１７】図１２に示したワイパブレードユニットを示す第２の側面図である。
【図１８】図１２に示したワイパブレードユニットを下から見た図である。
【００１５】
図１には、ワイパストリップ５４ａを備えたヒンジなし（gelenkfrei）のワイパブレード１０ａが示されており、ワイパストリップ５４ａは、条片状の２つのワイパブレードばねエレメント４２ａと連結されており、図面では両ワイパブレードばねエレメント４２ａのうちの１つが部分的に示されている（図３）。ワイパストリップ５４ａは、自動車のウインドシールドガラス（図示せず）と接触するワイパリップを有している。ワイパブレード１０ａはスポイラエレメント５２ａを有していて、このスポイラエレメント５２ａはワイパブレード主流側１６ａに流れ面５６ａを有しており、この流れ面５６ａは、走行風流を運転中にワイパブレード１０ａにわたって案内するため、及びこの際にウインドシールドガラスへのワイパブレード１０ａの圧着力を高めるために設けられている（図１〜図３）。流れ面５６ａは複数回湾曲されて形成されていて、ワイパブレード長手方向２２ａで見てほぼＳ字形をしている。ワイパブレード１０ａはさらにワイパブレードアダプタ３８ａを有しており、このワイパブレードアダプタ３８ａは、ウインドワイパのワイパアーム（図示せず）との直接的な連結のために設けられている。
【００１６】
さらにワイパブレード１０ａは、プラスチックから製造された液体案内体１２ａを備えたワイパブレードユニットを有しており、液体案内体１２ａは、一体に成形された液体案内ブリッジ１４ａを有しており、この液体案内ブリッジ１４ａは運転状態で見て、ワイパブレード１０ａの、ワイパブレード主流側１６ａとは反対の側１８ａに配置されている（図１〜図９）。液体案内体１２ａは、ワイパブレードアダプタ３８ａとは切り離された別体の部材として形成されている。液体案内ブリッジ１４ａはワイパブレード長手方向２０ａ，２２ａにおいてそれぞれ液体案内体１２ａの端部２４ａ，２６ａを形成していて、両ワイパブレード長手方向２０ａ，２２ａにおいてワイパブレードアダプタ３８ａを越えて延びている。液体案内ブリッジ１４ａはワイパストリップ５４ａのワイパリップに向いた側に、ワイパブレード長手方向２０ａ；２２ａにおいてワイパブレードアダプタ３８ａの下を貫通して延びている（図１及び図２）。ワイパブレードアダプタ３８ａの係止エレメントを受容するために、液体案内ブリッジ１４ａには切欠き６２ａが成形されている（図２、図４、図５、図９）。運転中に、液体は、特に洗浄液も、液体案内ブリッジ１４ａを用いてワイパブレードアダプタ３８ａの下において該ワイパブレードアダプタ３８ａのところを通過するように案内されることができ、ワイパブレードアダプタ３８ａによって形成される液体バリアを回避することができる。
【００１７】
液体案内体１２ａは、ワイパブレード主流側１６ａに配置された２つのスポイラエレメント２８ａ，３０ａを有している（図３、図４〜図９）。第１のスポイラエレメント２８ａは条片によって形成され、この条片は約１８０°の屈曲部を有していて、ワイパブレード１０ａのスポイラエレメント５２ａのための受容領域４８ａを形成していて、取り付けられた状態においてスポイラエレメント５２ａにわたって延在している（図２、図３及び図４）。第２のスポイラエレメント３０ａは間隙なしに第１のスポイラエレメント２８ａに接続していて、ワイパブレード１０ａのスポイラエレメント５２ａの切欠きの領域に配置されている。スポイラエレメント２８ａ，３０ａは、その形状がスポイラエレメント５２ａに合わせられていて、ワイパブレード長手方向２２ａで見てそれぞれ１つのＳ字形の流れ面を有している。
【００１８】
スポイラエレメント３０ａは、ワイパブレードばねエレメント４２ａにおける固定のために設けられた固定ユニット４０ａの、クランプ兼係止エレメントによって形成された固定エレメント５８ａ，６０ａを有している。これらの固定エレメント５８ａ，６０ａは、Ｕ字形の成形部によって形成され、これらの成形部には、条片状のワイパブレードばねエレメント４２ａが取付け時に係止される。そのために液体案内体１２ａは弾性的に曲げられて開放され、これにより次いで内部応力によってＵ字形の成形部はワイパブレードばねエレメント４２ａに係止することができる。
【００１９】
ワイパブレードアダプタ３８ａへの有利な移行部を得るために、液体案内体１２ａもしくはスポイラエレメント３０ａは、ワイパブレード長手方向２０ａにおける端部領域にＵ字形の成形部を有しており、この成形部はワイパブレードアダプタ３８ａのための受容領域３６ａを備えている（図５及び図９）。
【００２０】
図１０〜図１８には別の実施形態が示されている。実施形態を区別するために図１〜図９における実施形態の符号に付されたａの代わりに、図１０〜図１８の実施形態の符号にはｂが使用されている。以下において、主として両実施形態の間における差異についてだけ述べ、同じ構成部材、特徴及び機能については、図１〜図９における実施形態の記載を参照するものとする。
【００２１】
図１０及び図１１に部分的に示されたワイパブレード１０ｂは、液体案内体１２ｂを備えたワイパブレードユニットを有しており、この液体案内体１２ｂは固定ユニット４０ｂを有している。この固定ユニット４０ｂはワイパブレード長手方向２０ｂに、部分的にワイパブレードアダプタ３８ｂのための受容領域３６ｂの前に配置されている固定エレメント４４ｂ，４５ｂと、ワイパブレードアダプタ３８ｂのための受容領域３６ｂの後ろに配置されている固定エレメント４６ｂ，４７ｂとを有している（図１０〜図１８）。ワイパブレードユニットはさらにワイパブレードアダプタ３８ｂのための受容領域３６ｂの前後にそれぞれ２つのスポイラエレメント２８ｂ，３０ｂ，３２ｂ，３４ｂを有していて、この場合それぞれ外側のスポイラエレメント２８ｂ，３４ｂは、それぞれワイパブレード１０ｂのスポイラエレメント５２ｂのための受容領域４８ｂ，５０ｂを形成しているもしくは取り付けられた状態においてスポイラエレメント５２ｂにわたって延在している条片によって形成されている（図１０、図１１、図１２及び図１３）。第２のスポイラエレメント３０ｂ，３２ｂは、それぞれ間隙なしにスポイラエレメント２８ｂ，３４ｂに接続していて、それぞれワイパブレード１０ｂのスポイラエレメント５２ｂの切欠きの領域に配置されている。スポイラエレメント２８ｂ，３０ｂ，３２ｂ，３４ｂはその形状をスポイラエレメント５２ｂに合わせられていて、ワイパブレード長手方向２２ｂで見て、それぞれＳ字形の流れ面を有している。
【００２２】
スポイラエレメント３０ｂ，３２ｂは、固定ユニット４０ｂの、クランプ兼係止エレメントによって形成された固定エレメント４４ｂ，４５ｂ，４６ｂ，４７ｂを有しており、これらの固定エレメント４４ｂ，４５ｂ，４６ｂ，４７ｂは、ワイパブレード１０ｂのワイパブレードばねエレメント４２ｂにおける固定のために設けられている。固定エレメント４４ｂ，４５ｂ，４６ｂ，４７ｂはＵ字形の成形部によって形成され、この成形部内には条片状のワイパブレードばねエレメント４２ｂが取付け時に係止される。固定エレメント４４ｂ，４５ｂ，４６ｂ，４７ｂの他に、液体案内体１２ｂは、切欠きによって形成された受容領域３６ｂ内に液体案内体１２ｂの液体案内ブリッジ１４ｂの長手方向に対して横方向に進入するように延びる固定エレメント６４ｂを有しており、これらの固定エレメント６４ｂは取付け時にワイパブレードばねエレメント４２ｂの下に係止される。
【００２３】
液体案内体１２ｂは受容領域３６ｂの、液体案内ブリッジ１４ｂに対向して位置する側に、ウェブ６６ｂを有しており、このウェブ６６ｂはスポイラエレメント３０ｂとスポイラエレメント３２ｂとを互いに結合する。
【図１】
2013519582.tif 000003
【図２】
2013519582.tif 000004
【図３】
2013519582.tif 000005
【図４】
2013519582.tif 000006
【図５】
2013519582.tif 000007
【図６】
2013519582.tif 000008
【図７】
2013519582.tif 000009
【図８】
2013519582.tif 000010
【図９】
2013519582.tif 000011
【図１０】
2013519582.tif 000012
【図１１】
2013519582.tif 000013
【図１２】
2013519582.tif 000014
【図１３】
2013519582.tif 000015
【図１４】
2013519582.tif 000016
【図１５】
2013519582.tif 000017
【図１６】
2013519582.tif 000018
【図１７】
2013519582.tif 000019
【図１８】
2013519582.tif 000020
【手続補正書】
【提出日】平成24年8月17日(2012.8.17)
【手続補正１】
【補正対象書類名】特許請求の範囲
【補正対象項目名】全文
【補正方法】変更
【補正の内容】
【特許請求の範囲】
【請求項１】
ワイパブレードユニットであって、液体案内体（１２ａ；１２ｂ）が設けられていて、該液体案内体（１２ａ；１２ｂ）は少なくとも１つの液体案内ブリッジ（１４ａ；１４ｂ）を有しており、該液体案内ブリッジ（１４ａ；１４ｂ）は、運転状態で見て、ワイパブレード主流側（１６ａ；１６ｂ）とは反対の側（１８ａ；１８ｂ）に配置されていることを特徴とするワイパブレードユニット。
【請求項２】
液体案内ブリッジ（１４ａ；１４ｂ）はワイパブレード長手方向（２０ａ，２２ａ；２０ｂ，２２ｂ）において、液体案内体（１２ａ；１２ｂ）の少なくとも１つの端部（２４ａ，２６ａ；２４ｂ，２６ｂ）を形成している、請求項１記載のワイパブレードユニット。
【請求項３】
液体案内体（１２ａ；１２ｂ）は、ワイパブレード主流側（１６ａ；１６ｂ）に配置された少なくとも１つのスポイラエレメント（２８ａ，３０ａ；３２ｂ，３４ｂ）を有している、請求項１又は２記載のワイパブレードユニット。
【請求項４】
液体案内体（１２ａ；１２ｂ）は、ワイパブレードアダプタ（３８ａ；３８ｂ）用の少なくとも１つの受容領域（３６ａ；３６ｂ）を有している、請求項１から３までのいずれか１項記載のワイパブレードユニット。
【請求項５】
少なくとも１つの固定ユニット（４０ａ；４０ｂ）が、ワイパブレードアダプタにおける固定のため及び／又はワイパブレードばねエレメント（４２ａ；４２ｂ）における固定のために設けられている、請求項１から４までのいずれか１項記載のワイパブレードユニット。
【請求項６】
固定ユニット（４０ｂ）は、ワイパブレード長手方向（２０ｂ）で見て、少なくとも部分的にワイパブレードアダプタ（３８ｂ）のための受容領域（３６ｂ）の前に配置された少なくとも１つの固定エレメント（４４ｂ，４５ｂ）と、少なくとも部分的にワイパブレードアダプタ（３８ｂ）のための受容領域（３６ｂ）の後ろに配置された少なくとも１つの固定エレメント（４６ｂ，４７ｂ）とを有している、請求項４又は５記載のワイパブレードユニット。
【請求項７】
固定ユニット（４０ａ；４０ｂ）は少なくとも１つのクランプ及び／又は係止エレメントを有している、請求項５又は６記載のワイパブレードユニット。
【請求項８】
液体案内体（１２ａ；１２ｂ）は、スポイラエレメント（５２ａ；５２ｂ）のための受容領域（４８ａ；４８ｂ，５０ｂ）を備えた少なくとも１つの条片を有している、請求項１から７までのいずれか１項記載のワイパブレードユニット。
【請求項９】
ワイパブレードユニットが、ヒンジなしのワイパブレード（１０ａ；１０ｂ）用のワイパブレードユニットである、請求項１から８までのいずれか１項記載のワイパブレードユニット。
【請求項１０】
請求項１から９までのいずれか１項記載のワイパブレードユニットとワイパブレードアダプタ（３８ａ；３８ｂ）とを備えたワイパブレード。
【請求項１１】
液体案内ブリッジ（１４ａ；１４ｂ）は、ワイパブレード長手延在方向で、少なくとも１つのワイパブレード長手方向（２０ａ，２２ａ；２０ｂ，２２ｂ）においてワイパブレードアダプタ（３８ａ；３８ｂ）を越えて延びている、請求項１０記載のワイパブレード。
【国際調査報告】
2013519582.tif 000021
2013519582.tif 000022
2013519582.tif 000023
2013519582.tif 000024
2013519582.tif 000025
2013519582.tif 000026